(57)【要約】【課題】複雑な構成を必要とせずに圧搾部を形成する新規な構成の回転式圧搾脱水機を提供する。【解決手段】  圧搾脱水機は、ケーシング１と、ケーシング１内で互いに対向して配置された円盤形状の一対のフィルタ３、３と、一対のフィルタ３、３を貫通して、回転自在に支持する支持軸２と、一対のフィルタ３、３を支持軸２の周りに回転させる駆動手段６と、球面滑り軸受５、５と、を備える。一対のフィルタ３、３の少なくともいずれか一方が球面滑り軸受５、５を介して支持軸２の軸方向に傾倒した状態で支持軸２の周りに回転自在に支持軸２に支持される。それによって、一対のフィルタ３、３の間隔がフィルタ３、３の回転方向に沿って次第に狭くなることで圧搾部が形成され、脱水機能が発揮される。【選択図】図２
2016124006.tif 000002
【特許請求の範囲】
【請求項１】
供給口及び排出口を有するケーシングと、
前記ケーシング内で互いに対向して配置された円盤形状の一対のフィルタと、
前記一対のフィルタを貫通して回転自在に支持する支持軸と、
前記一対のフィルタを前記支持軸の周りに回転させる駆動手段と、
球面滑り軸受と、を備え、
被処理物は、前記供給口を通じて前記一対のフィルタの間に供給されると、前記駆動手段による前記一対のフィルタの回転によって前記排出口へ搬送され、当該搬送の際に、前記一対のフィルタの間隔が回転方向に沿って次第に狭くなる圧搾部を通過することで圧搾されて脱水されるものであり、
前記一対のフィルタの少なくともいずれか一方が前記球面滑り軸受を介して前記支持軸の軸方向に傾倒した状態で前記支持軸の周りに回転自在に前記支持軸に支持されることで、前記圧搾部は形成される、ことを特徴とする回転式圧搾脱水機。
【請求項２】
前記駆動手段は、
前記一対のフィルタの外面を挟んで互いに対向して配置された一対のローラと、
前記一対のローラの一方を回転駆動させるモータと、
前記一対のローラの他方を回転自在に支持するローラ支持部材と、を備える、ことを特徴とする請求項１に記載の回転式圧搾脱水機。
【請求項３】
前記一対のフィルタの間隔が最も狭くなる最狭部は、前記一対のローラが前記一対のフィルタの外面を挟むことで、前記一対のローラが配置された位置に形成される、ことを特徴とする請求項２に記載の回転式圧搾脱機。
【請求項４】
前記一対のフィルタの間隔が最も広くなる最広部は、前記支持軸を基準として前記最狭部と対向する位置に形成される、ことを特徴とする請求項３に記載の回転式圧搾脱機。
【請求項５】
前記一対のフィルタの双方が前記球面滑り軸受を介して前記支持軸の軸方向で互いに反対の方向に傾倒した状態で前記支持軸の周りに回転自在に前記支持軸に支持されることで、前記圧搾部は形成される、ことを特徴とする請求項１から請求項４のいずれか１項に記載の回転式圧搾脱水機。
【請求項６】
供給口及び排出口が形成されたケーシングと、前記ケーシング内で互いに対向して配置された一対のフィルタとを有する複数の圧搾脱水ユニットと、
前記各圧搾脱水ユニットの前記一対のフィルタを貫通して回転可能に支持する１本の支持軸と、を備え、
前記圧搾脱水ユニットは、それぞれ、前記支持軸を回転させずに前記一対のフィルタを前記支持軸の周りに回転させる駆動手段と、球面滑り軸受とをさらに有し、
前記圧搾脱水ユニットは、それぞれ、前記供給口を通じて前記一対のフィルタの間に供給された被処理物を、前記一対のフィルタの回転によって前記排出口へ搬送し、当該搬送の間に、前記一対のフィルタの間隔が回転方向に沿って次第に狭くなる圧搾部に通過させることで圧搾して脱水するものであり、そして、前記一対のフィルタの少なくともいずれか一方が、前記球面滑り軸受を介して前記支持軸の軸方向に傾倒した状態で前記支持軸の周りに回転自在に前記支持軸に支持されることで、前記圧搾部は形成されるものであり、
前記一対のフィルタは、前記圧搾脱水ユニット毎に独立して回転するように構成される、ことを特徴とする回転式圧搾脱水機。
【発明の詳細な説明】
【技術分野】
【０００１】
本発明は、被処理物を、一対のフィルタの回転によって搬送する際に圧搾して脱水する回転式圧搾脱水機に関する。
【背景技術】
【０００２】
回転式圧搾脱水機は、例えば特許文献１に開示されている。この文献の圧搾脱水機は、ケーシングと、ケーシング内で互いに対向して配置された一対のフィルタと、各フィルタの中央に取り付けられた計２本の支持軸と、各フィルタをその支持軸の周りに回転させる駆動手段とを備えている。
【０００３】
一対のフィルタの互いに対向する対向面は円錐形状に形成されている。２本の支持軸が互いに所定の角度で傾斜するように、一対のフィルタは互いに対向して配置されている。それによって、一対のフィルタの間隔が最も大きい最広部と、一対のフィルタの間隔が最も小さい最狭部とが形成され、さらに、一対のフィルタの間隔が最広部から最狭部までフィルタの回転方向に沿って次第に狭くなる圧搾部が形成される。
【０００４】
被処理物は、ケーシングの供給口を通じて一対のフィルタの間に投入されると、駆動手段によるフィルタの回転によって、最広部、圧搾部及び最狭部を順に通ってケーシングの排出口へ搬送される。被処理物は、当該搬送の際の圧搾部の通過によって、圧搾されて脱水され、脱水状態で排出口から排出される。
【０００５】
このように、この文献の回転式圧搾脱水機は、一対のフィルタの間隔が回転方向に沿って次第に狭くなる圧搾部によって、被処理物を搬送しながら圧搾して脱水している。
【先行技術文献】
【特許文献】
【０００６】
【特許文献１】特開２００３−１２６９９２号公報
【発明の概要】
【発明が解決しようとする課題】
【０００７】
しかしながら、この文献の回転式圧搾脱水機では、圧搾部を形成するために、上記の通り、フィルタの対向面を円錐形状に形成する必要があり、さらに互いに傾斜した２本の支持軸が必要であるため、構造の複雑化は避けることができなかった。
【０００８】
本発明は、上記事情に鑑みてなされたものであり複雑な構成を必要とせずに圧搾部を形成する新規な構成の回転式圧搾脱水機を提供する。
【課題を解決するための手段】
【０００９】
上記課題を解決するために、本発明に係る圧搾脱水機は、供給口及び排出口を有するケーシングと、前記ケーシング内で互いに対向して配置された円盤形状の一対のフィルタと、前記一対のフィルタを貫通して回転自在に支持する支持軸と、前記一対のフィルタを前記支持軸の周りに回転させる駆動手段と、球面滑り軸受と、を備え、
被処理物は、前記供給口を通じて前記一対のフィルタの間に供給されると、前記駆動手段による前記一対のフィルタの回転によって前記排出口へ搬送され、当該搬送の際に、前記一対のフィルタの間隔が回転方向に沿って次第に狭くなる圧搾部を通過することで圧搾されて脱水されるものであり、
前記一対のフィルタの少なくともいずれか一方が前記球面滑り軸受を介して前記支持軸の軸方向に傾倒した状態で前記支持軸の周りに回転自在に前記支持軸に支持されることで、前記圧搾部は形成される、ことを特徴とする。
【００１０】
好ましくは、前記駆動手段は、前記一対のフィルタの外面を挟んで互いに対向して配置された一対のローラと、前記一対のローラの一方を回転駆動させるモータと、前記一対のローラの他方を回転自在に支持するローラ支持部材と、を備える。
【００１１】
好ましくは、前記一対のフィルタの間隔が最も狭くなる最狭部は、前記一対のローラが前記一対のフィルタの外面を挟むことで、前記一対のローラが配置された位置に形成される。
【００１２】
好ましくは、前記一対のフィルタの間隔が最も広くなる最広部は、前記支持軸を基準として前記最狭部と対向する位置に形成される。
【００１３】
好ましくは、前記一対のフィルタの双方が前記球面滑り軸受を介して前記支持軸の軸方向で互いに反対の方向に傾倒した状態で前記支持軸の周りに回転自在に前記支持軸に支持されることで、前記圧搾部は形成される。
【００１４】
また、本発明に係る圧搾脱水機は、
供給口及び排出口が形成されたケーシングと、前記ケーシング内で互いに対向して配置された一対のフィルタとを有する複数の圧搾脱水ユニットと、
前記各圧搾脱水ユニットの前記一対のフィルタを貫通して回転可能に支持する１本の支持軸と、を備え、
前記圧搾脱水ユニットは、それぞれ、前記支持軸を回転させずに前記一対のフィルタを前記支持軸の周りに回転させる駆動手段と、球面滑り軸受とをさらに有し、
前記圧搾脱水ユニットは、それぞれ、前記供給口を通じて前記一対のフィルタの間に供給された被処理物を、前記一対のフィルタの回転によって前記排出口まで搬送し、当該搬送の間に、前記一対のフィルタの間隔が回転方向に沿って次第に狭くなる圧搾部に通過させることで圧搾して脱水するものであり、そして、前記一対のフィルタの少なくともいずれか一方が、前記球面滑り軸受を介して前記支持軸の軸方向に傾倒した状態で前記支持軸の周りに回転自在に前記支持軸に支持されることで、前記圧搾部は形成されるものであり、
前記一対のフィルタは、前記圧搾脱水ユニット毎に独立して回転するように構成される。
【発明の効果】
【００１５】
本発明によれば、上記構成を備えることにより、圧搾部を形成するために、複雑な構成を必要としない新規な構成の回転式圧搾脱水機を提供することができる。
【図面の簡単な説明】
【００１６】
【図１】本発明の第１実施例に係る回転式圧搾脱水機の内部構造を概略的に示す図である。
【図２】回転式圧搾脱水機の図１のＡ−Ａ線矢視方向から見た内部構造を概略的に示す図である。
【図３】本発明の第２実施例に係る回転式圧搾脱水機の内部構造を概略的に示す図である。
【発明を実施するための形態】
【００１７】
以下、図１及び図２を参照して、本発明に係る回転式圧搾脱水機（以下、単に圧搾脱水機）について説明する。
【００１８】
圧搾脱水機は、ケーシング１と、１本の支持軸２と、一対のフィルタ３、３とを備えている。
【００１９】
図１を参照して、ケーシング１は圧搾脱水機の図示されないフレームに支持されている。ケーシング１には、被処理物を供給するための供給口１０と、脱水された被処理物を排出するための排出口１１と、被処理物から取り除かれた水を排出するための水排出口１２とが形成されている。供給口１０及び排出口１１は支持軸２よりも上方に形成され、水排出口１２は支持軸２よりも下方に形成されている。
【００２０】
図２を参照して、支持軸２は、ケーシング１を貫通して水平方向にのびている。支持軸２は、その図示されない両端がフレームに固定されており、当該フレームに対して回転不能である。なお、支持軸２は、その両端がケーシング１に固定されてケーシング１に対して回転不能でもよい。
【００２１】
各フィルタ３、３は円盤形状である。一対のフィルタ３、３は、ケーシング１内で互いに対向するように配置されている。各フィルタ３、３の中央は中空に形成されており、支持軸２が一対のフィルタ３、３の当該中空部を貫通して、一対のフィルタ３、３を後述の球面滑り軸受５、５を介して、その軸方向（図２の左右方向）に傾倒自在にかつその軸の周りに回転自在に支持している。
【００２２】
各フィルタ３、３は、複数の通過孔を有する円盤形状のフィルタ本体３０を備えている。一対のフィルタ３、３の間で被処理物から取り除かれた水分は当該通過孔を通ってフィルタ３、３の外部へ流れ出ることができるが、被処理物の固形成分は当該通過孔を通ってフィルタ３、３の外部へ流れ出ることはできない。
【００２３】
フィルタ本体３０は、具体的には、上記通過孔としてのスリットが形成されたウェッジワイヤースクリーン３１（以下、単にスクリーン）と、これを補強する第１補強板３２、第２補強板３３との層からなる。一対のフィルタ３、３は、スクリーン３１が内面（対向面）となり、第２補強板３３が外面となるように対向して配置されている。第１及び第２補強板３２、３３には、スクリーン３１のスリットよりも開口面積の大きな複数の貫通孔が形成されている。
【００２４】
リング形状でゴム製の軸側スペーサ４０が、一対のフィルタ３、３の間で支持軸２の外周面に取り付けられており、それによって一対のフィルタ３、３の間に間隔が設けられている。リング形状でゴム製の外周側スペーサ４１が、各フィルタ本体３０の外周端面に設けられた外周端部３４の内面に取り付けられている。
【００２５】
圧搾脱水機は、２つの球面滑り軸受５、５をさらに備えている。各フィルタ３、３は、球面滑り軸受５、５を介して支持軸２に支持されている。各球面滑り軸受５、５は、内輪５０と外輪５１とを備えている。
【００２６】
内輪５０は、リング形状であり、支持軸２の外周面に取り付けられている。内輪５０の外周面は、凸球面形状に形成されている。外輪５１は、リング形状であり、フィルタ本体３０の内周端面に設けられた内周端部３５に取り付けられている。外輪５１の内周面は、内輪５０の凸球面形状に対応する凹球面形状に形成されている。そして、外輪５１は、その凹球面形状の内周面が内輪５０の凸球面形状の外周面に対して滑動自在に内輪５０に外嵌されている。
【００２７】
球面滑り軸受５、５は、上記構成によって、一対のフィルタ３、３を、支持軸２の軸方向（図２の左右方向）に傾倒した状態で支持軸２の周りに回転自在にせしめる。
【００２８】
なお、内輪５０と外輪５１との間にはリング状のシール部材５２が設けられており、内輪５０と外輪５１との間のシール性が確保されながら外輪５１が内輪５０に対して滑動できるようになっている。
【００２９】
さらに、圧搾脱水機は、一対のフィルタ３、３を支持軸２の周りに回転させる駆動手段６を備えている。駆動手段６は、フィルタ３、３の外面に力を作用させて、支持軸２を回転させずに一対のフィルタ３、３を支持軸２の周りに一方向（図１の反時計回り）に回転させる。
【００３０】
駆動手段６は、一対のフィルタ３、３の外面の外周縁を挟むゴム製の一対のローラ６０、６０、一方のローラ６０を支持し回転駆動させるモータ６１、及び、他方のローラ６０を支持するローラ支持部材６２を備えている。
【００３１】
一方のローラ６０は、支持軸２の径方向にのびるモータ６１の出力軸６３に取り付けられ、一方のフィルタ３の外周端部３４の外面に当接している。他方のローラ６０は、支持軸２の径方向にのびる回転軸の周りに回転自在にローラ支持部材６２に取り付けられて、他方のフィルタ３の外周端部３４の外面に当接している。
【００３２】
駆動手段６は、他方のローラ６０を他方のフィルタ３の外面へ付勢し、かつ被処理物を圧搾するために必要な圧搾力を付与するための付勢手段６４をさらに備えている。付勢手段６４は、スプリング、シリンダ等である。付勢手段６４は、ローラ支持部材６２及び他方のローラ６０を他方のフィルタ３の外面へ付勢し、他方のローラ６０を当該外面に押し付けている。それによって、一対のローラ６０、６０が一対のフィルタ３、３の外面の外周縁を挟むようになっている。
【００３３】
図２の通り、一対のフィルタ３、３は、球面滑り軸受５、５を介して支持軸２に支持されることで、かつ、一対のローラ６０、６０で挟まれることで、支持軸２の軸方向で互いに反対の方向に傾倒した状態で支持軸２の周りに回転自在となっている。従って、一方のローラ６０がモータ６１によって回転駆動すると、一対のフィルタ３、３は支持軸２の軸方向で互いに反対の方向に傾倒した状態で支持軸２の周りを同一方向に回転する。
【００３４】
また、一対のフィルタ３、３の球面滑り軸受５、５を介した支持、及び、一対のフィルタ３、３の一対のローラ６０、６０による挟込みによって、一対のフィルタ３、３の間隔が最も狭い最狭部７０が、一対のローラ６０、６０が配置された位置に形成される。そして、一対のフィルタ３、３の間隔が最も広い最広部７１が、支持軸２を基準として最狭部７０とは対向する位置に形成される。そして、図１の通り、最広部７１から一対のフィルタ３、３の回転方向に沿って最狭部７０に至るまでの範囲に、一対のフィルタ３、３の間隔が回転方向に沿って次第に狭くなる圧搾部７２が形成される。
なお、最広部７１の上方に供給口１０が位置するように、最狭部７０の上方に排出口１１が位置し、圧搾部７２の下方に水排出口１２が位置するようになっている。
【００３５】
図示されていないが、各フィルタ３、３の外周端部３４の外周端面には、リング形状のシール部材が取り付けられている。図１の通り、ケーシング１の内面の供給口１０から水排出口１２までの一定の部分は、一対のフィルタ３、３の回転の際にシール部材が摺動するための第１シール面１３として形成されている。ケーシング１の内面の水排出口１２から排出口１１に至るまでの一定の部分は、一対のフィルタ３、３の回転の際にシール部材が摺動する第２シール面１４として形成されている。
当該構成により、各フィルタ３、３の外周端面とケーシング１の内面との間がシールされた状態で、一対のフィルタ３、３がケーシング１内で回転できるようになっている。
【００３６】
さらに、ケーシング１内には、第１シール面１３の下端と第２シール面１４の下端との間に渡って当て板１５が配置されている。当て板１５は、一対のフィルタ３、３を下方から覆い、そして、一対のフィルタ３、３の回転の際に外周端面のシール部材が摺動するための第３シール面１６としての上面を有している。第３シール面１６は、第１及び第２シール面１３、１４と滑らかにつながっている。なお、当て板１５は、被処理物から取り除かれた水分が通過するための通過孔を有している。
当該構成によって、各フィルタ３、３の外周端面と当て板の上面との間がシールされた状態で、一対のフィルタ３、３が回転できるようになっている。さらに、当該構成によって、後述の通り、一対のフィルタ３、３の間を搬送される被処理物が水排出口１２の上方を通過する際に、その固形成分が一対のフィルタ３、３の外周側スペーサ４１（図２）の隙間から流れ落ちないようになっている。
【００３７】
図１の通り、２本の洗浄管１７（２本のうち１本は図示されない）が、排出口１１から回転方向に沿って供給口１０に至る区間において、一対のフィルタ３、３を間にして互いに対向して配置されている。図示されていないが、一方の洗浄管１７には、その長さ方向に沿って、一方のフィルタ本体３０の外面に向けて洗浄水を噴射するための複数のノズルが形成されている。他方の洗浄管１７には、他方のフィルタ本体３０の外面に向けて洗浄水を噴射するための複数のノズルが形成されている。
【００３８】
次に、上記圧搾脱水機の運転動作について説明する。
一対のフィルタ３、３は、駆動手段６によって一方向（図1の反時計回り）に回転し続けている。この状態で、被処理物（例えば、スラリー）が、供給口１０を通じて一対のフィルタ３、３の間に供給されると、一対のフィルタ３、３の回転によって、最広部７１、圧搾部７２、最狭部７０を順に通って排出口１１へ回転方向に沿って搬送される。
【００３９】
被処理物は、当該搬送の際に圧搾部７２を通過することによって、即ち一対のフィルタ３、３の間隔が回転方向に沿って次第に狭くなる部分を通過することによって、圧搾されて脱水される。
【００４０】
従って、被処理物は脱水された状態で（被処理物がスラリーの場合、ケークの状態で）、排出口１１から排出される。一方、被処理物から取り除かれた水分は、一対のフィルタ３、３の通過孔（即ち、スクリーン３１のスリット）又は当て板１５の通過孔を通って一対のフィルタ３、３の外部に流れ出る。それから、水分は、水排出口１２を通ってケーシング１の外部に流れ出る。
このようにして、圧搾脱水機は、被処理物を連続的に圧搾して脱水する。
【００４１】
以上のように、被処理物を圧搾して脱水するための圧搾部７２を形成する構成によれば、従来のように一対のフィルタの対向面を円錐形状にする必要はない。また、従来のようにフィルタを支持する支持軸は２本必要ではなく、１本でよい。即ち、圧搾部７２を形成するのに複雑な構成を必要としない。
【００４２】
一対のフィルタ３、３の回転は、一対のフィルタ３、３の外面の外周縁を挟んで配置された一対のローラ６０、６０によって実現されている。このように、支持軸２からその径方向に離れた個所に力を作用させて一対のフィルタ３、３を回転することにより、一対のフィルタ３、３の回転のために必要な動力を小さくすることができる。
また、一対のローラ６０、６０が一対のフィルタ３、３の外面の外周縁を挟む構成により、圧搾部７２の圧搾力が増すようになっている。
【００４３】
例えば、排出口が支持軸より下方にある場合、運転開始時に供給口から濃度の低いスラリーが供給されると、脱水されずに排出口から流れ出てしまう。これに対して、実施例では、排出口１１が支持軸２より上方にあるので、運転開始時に供給口１０から濃度の低いスラリーが供給されても、脱水されずに排出口１１から流れ出てしまうことはない。
【００４４】
洗浄管１７を設けたことにより、フィルタ本体３０のスクリーン３１の目詰まりが防止されるので、長時間の連続運転が可能になる。
【００４５】
次いで、図３を参照して本発明に係る圧搾脱水機の第２実施例を説明する。
圧搾脱水機は、被処理物を圧搾して脱水する一列に並べて配置された複数の圧搾脱水ユニット８、８・・８を備えている。各圧搾脱水ユニット８、８・・８の構成、及び、被処理物の圧搾脱水動作は、第１実施例の圧搾脱水機と同様であるので、その説明は省略する。
【００４６】
第２実施例では、１本の支持軸２が、各圧搾脱水ユニット８、８・・８の一対のフィルタ３、３を通過するようにのび、各圧搾脱水ユニット８、８・・８の一対のフィルタ３、３を回転可能に支持している。即ち、１本の支持軸２が、複数の圧搾脱水ユニット８、８・・８で共用されている。支持軸２の図示されない両端は、圧搾脱水機のフレームに固定されており、当該フレームに対して回転不能である。
【００４７】
各圧搾脱水ユニット８、８・・８の駆動手段６は、第１実施例で記載した通り、支持軸２を回転させずに、一対のフィルタ３、３を支持軸２の周りに回転させる。従って、一対のフィルタ３、３は、圧搾脱水ユニット８、８・・８毎に独立して回転するようになっている。即ち、任意の圧搾脱水ユニット８、８・・８を運転できるようになっている。
【００４８】
以上の第２実施例によれば、第１実施例で得られる効果に加えてさらに以下のような効果を得ることができる。
図３の通り、複数の圧搾脱水ユニット８、８・・８を１本の支持軸２上に配列することができるので、圧搾脱水装置全体としての構成をコンパクトにすることができる。
上記の通り、１本の支持軸２を複数の圧搾脱水ユニット８、８・・８で共用しながらも、任意の圧搾脱水ユニット８、８・・８を運転させることができる。故に、例えば、ある圧搾脱水ユニット８を運転させたまま、別の圧搾脱水ユニット８をメンテナンスするといったことができる。
【００４９】
以上、本発明に係る好ましい実施例について説明したが、本発明は上記の実施例に限定されるものではない。
上記実施例では、一対のフィルタ３、３の双方が球面滑り軸受５、５を介して支持軸２に支持されることで、圧搾部７２が形成されている。しかしながら、一対のフィルタ３、３の少なくともいずれか一方が球面滑り軸受５、５を介して支持されていれば、圧搾部７２を形成することができる。
例えば、一方のフィルタ３を球面滑り軸受５を介して支持軸２に支持して支持軸２の軸方向に傾倒した状態で支持軸２の周りに回転自在にし、他方のフィルタ３を通常の軸受を介して傾倒不能に支持軸２に支持して支持軸２と直交する平面上で支持軸２の周りに回転自在にする。このようにしても、一対のフィルタ３、３の間隔が回転方向に沿って次第に狭くなる圧搾部７２を形成することはできる。
【００５０】
上記実施例では、フィルタ本体３０は、スクリーン３１、第１補強板３２、及び第２補強板３３で構成されているが、被処理物から取り除かれた水分を一対のフィルタ３、３の外部へ排出でき、被処理物の固形成分の排出を防止できる通過孔を有していれば、どのような構成でもよい。
【００５１】
上記実施例の駆動手段６では、一方のローラ６０だけに動力源（モータ６１）を設け、他方のローラ６０を従動ローラとしていたが、一対のローラ６０、６０のそれぞれに動力源を設けて、この２つのローラ６０、６０を駆動する構成でもよい。また、駆動手段６が、１つの動力源によって発生する動力を２つのローラ６０、６０に伝達する歯車列等の動力伝達機構を備え、１つの動力源で２つのローラ６０、６０を駆動できるようにしてもよい。
【００５２】
上記実施例では、洗浄管１７は、１つのフィルタ３に対して１本設けられていたが、２本以上設けられてもよい。
【符号の説明】
【００５３】
１  ケーシング
２  支持軸
３  フィルタ
５  球面滑り軸受
６  駆動手段
６０  ローラ
６１  モータ
６２  ローラ支持部材
７０  最狭部
７１  最広部
７２  圧搾部
８  圧搾脱水ユニット
【図１】
2016124006.tif 000003
【図２】
2016124006.tif 000004
【図３】
2016124006.tif 000005